(57)【要約】      （修正有）【課題】テレビジョン放送信号の種類や形式を問わずに利用可能な、汎用性のあるＣＭ検出技術を提供する。【解決手段】ＣＭ削除モードに設定されると、制御部２は、広告信号検出部６に対し、ユーザにより指定されたテレビジョン放送信号に含まれる広告信号を検出する指示を出す。広告信号検出部６は、この指示にしたがい、記録媒体５に記録されているユーザにより指定されたテレビジョン放送信号に含まれるＩフレームを読み出し、Ｉフレーム同士を比較して、同一のＩフレームの有無を判定する。同一のＩフレームが存在した場合、広告信号検出部６は、同一のＩフレームの開始から１５秒間の信号を広告信号と認識し、広告信号の開始アドレス及び終了アドレスを検出結果としてメモリに記憶する。制御部２は、メモリに記憶された開始アドレス及び終了アドレスを記録部４に入力すると共に、ユーザにより指定された広告信号を削除するよう指示を出す。【選択図】図１
2006115405.tif 000002
【特許請求の範囲】
【請求項１】
記録媒体に記録されたテレビジョン放送信号に含まれる広告信号を検出する広告信号検出装置であって、
前記テレビジョン放送信号の中に同一の信号が存在するか否かを判定する判定手段と、
前記判定手段により、前記同一の信号が存在すると判定された場合、前記同一の信号を前記広告信号として認識する広告信号認識手段とを備える広告信号検出装置。
【請求項２】
指定されたテレビジョン放送信号の記録媒体への記録と前記記録媒体に記録されているテレビジョン放送信号の再生を行う記録再生装置であって、
請求項１記載の広告信号検出装置と、
前記指定されたテレビジョン放送信号から前記広告信号検出装置により検出された広告信号を、前記記録媒体から削除する広告信号削除手段とを備える記録再生装置。
【請求項３】
指定されたテレビジョン放送信号の記録媒体への記録と前記記録媒体に記録されているテレビジョン放送信号の再生を行う記録再生装置であって、
請求項１記載の広告信号検出装置と、
前記テレビジョン放送信号を前記記録媒体に記録する記録手段と、
前記記録媒体に記録されているテレビジョン放送信号を再生する再生手段とを備え、
前記再生手段は、前記記録媒体に記録されているテレビジョン放送信号を、該テレビジョン放送信号から前記広告信号検出装置により検出された広告信号をスキップしながら再生する記録再生装置。
【請求項４】
テレビジョン放送信号の記録媒体への記録と前記記録媒体に記録されているテレビジョン放送信号の再生を行う記録再生装置であって、
請求項１記載の広告信号検出装置と、
所定期間分の前記テレビジョン放送信号及び指定されたテレビジョン放送信号を前記記録媒体に記録する記録手段と、
前記所定期間分のテレビジョン放送信号に含まれる広告信号から前記広告信号検出装置により検出された広告信号を記録する広告信号データベースとを備え、
前記記録手段は、前記指定されたテレビジョン放送信号に、前記広告信号データベースに記録されている広告信号が含まれている場合に、該広告信号を削除しながら前記テレビジョン放送信号を前記記録媒体に記録する記録再生装置。
【請求項５】
テレビジョン放送信号の記録媒体への記録と前記記録媒体に記録されているテレビジョン放送信号の再生を行う記録再生装置であって、
請求項１記載の広告信号検出装置と、
所定期間分の前記テレビジョン放送信号及び指定されたテレビジョン放送信号を前記記録媒体に記録する記録手段と、
前記所定期間分のテレビジョン放送信号から前記広告信号検出装置により検出された広告信号を記録する広告信号データベースと、
前記記録媒体に記録されているテレビジョン放送信号を再生する再生手段とを備え、
前記再生手段は、前記再生すべきテレビジョン放送信号に、前記広告信号データベースに記録されている広告信号が含まれている場合に、該広告信号をスキップしながら前記テレビジョン放送信号を再生する記録再生装置。
【発明の詳細な説明】
【技術分野】
【０００１】
本発明は、テレビジョン放送信号に含まれる広告信号を検出する広告信号検出装置及びそれを備える記録再生装置に関する。
【背景技術】
【０００２】
テレビジョン放送信号を記録及び再生する記録再生装置としては、テレビ放送の本編部分だけを記録し、広告（ＣＭ）部分を記録しない機能（いわゆるＣＭカット機能）を有するものがある。この機能は、例えば、二ヶ国語（主・副）音声信号とステレオ音声信号を区別することによって実現されている。
【０００３】
また、デジタル放送等では、高度なデジタル技術を利用したストリーミング配信が可能であることに着目し、放送局から配信されるコンテンツデータ中に、ＣＭの挿入位置を示す情報を付加し、受信側では、その付加された情報を基に、ＣＭの挿入位置を判定し、そのＣＭを除去できるようにしたものもある（特許文献１参照）。
【０００４】
また、ＣＭが開始された時点と終了されたされた時点において、ユーザがボタン操作等によって通知を行い、記録再生装置が、この通知によってＣＭを認識しておき、再生時にそのＣＭをスキップするようにしたものもある（特許文献２参照）。
【０００５】
【特許文献１】特開２００１−２４５２４２号公報
【特許文献２】特開２００３−１４３５４４号公報
【発明の開示】
【発明が解決しようとする課題】
【０００６】
二ヶ国語（主・副）音声信号とステレオ音声信号を区別してＣＭをカットする方式は、二ヶ国語音声を採用している映画や海外ドラマの録画には有効であるが、それ以外のコンテンツには利用できない。また、放送局から送られるコンテンツデータ中にＣＭの挿入位置等を示す情報を付加する方式は、放送局との契約の下に成り立つ特殊な方式であり、実現しがたい。また、特許文献２の方法では、ユーザに負担がかかってしまう。
【０００７】
本発明はこのような考察に基づいてなされたものであり、その目的は、テレビジョン放送信号の種類や形式を問わずに利用可能な、汎用性のあるＣＭ検出技術を提供することである。
【課題を解決するための手段】
【０００８】
本発明の広告信号検出装置は、記録媒体に記録されたテレビジョン放送信号に含まれる広告信号を検出する広告信号検出装置であって、前記テレビジョン放送信号の中に同一の信号が存在するか否かを判定する判定手段と、前記判定手段により、前記同一の信号が存在すると判定された場合、前記同一の信号を前記広告信号として認識する広告信号認識手段とを備える。
【０００９】
この構成により、テレビジョン放送信号の種類や形式を問わずに利用可能な、汎用性のあるＣＭ検出技術を提供することができる。
【００１０】
本発明の記録再生装置は、指定されたテレビジョン放送信号の記録媒体への記録と前記記録媒体に記録されているテレビジョン放送信号の再生を行う記録再生装置であって、前記広告信号検出装置と、前記指定されたテレビジョン放送信号から前記広告信号検出装置により検出された広告信号を、前記記録媒体から削除する広告信号削除手段とを備える。
【００１１】
この構成により、記録したテレビジョン放送信号から広告信号を削除することができる。
【００１２】
本発明の記録再生装置は、指定されたテレビジョン放送信号の記録媒体への記録と前記記録媒体に記録されているテレビジョン放送信号の再生を行う記録再生装置であって、前記広告信号検出装置と、前記テレビジョン放送信号を前記記録媒体に記録する記録手段と、
前記記録媒体に記録されているテレビジョン放送信号を再生する再生手段とを備え、前記再生手段は、前記記録媒体に記録されているテレビジョン放送信号を、該テレビジョン放送信号から前記広告信号検出装置により検出された広告信号をスキップしながら再生する。
【００１３】
この構成により、記録したテレビジョン放送信号を、それに含まれる広告信号をスキップしながら再生することができる。
【００１４】
本発明の記録再生装置は、テレビジョン放送信号の記録媒体への記録と前記記録媒体に記録されているテレビジョン放送信号の再生を行う記録再生装置であって、前記広告信号検出装置と、所定期間分の前記テレビジョン放送信号及び指定されたテレビジョン放送信号を前記記録媒体に記録する記録手段と、前記所定期間分のテレビジョン放送信号に含まれる広告信号から前記広告信号検出装置により検出された広告信号を記録する広告信号データベースとを備え、前記記録手段は、前記指定されたテレビジョン放送信号に、前記広告信号データベースに記録されている広告信号が含まれている場合に、該広告信号を削除しながら前記テレビジョン放送信号を前記記録媒体に記録する。
【００１５】
この構成により、テレビジョン放送信号を記録する際に、それに含まれる広告信号を削除しながら記録を行うことができる。
【００１６】
本発明の記録再生装置は、テレビジョン放送信号の記録媒体への記録と前記記録媒体に記録されているテレビジョン放送信号の再生を行う記録再生装置であって、前記広告信号検出装置と、所定期間分の前記テレビジョン放送信号及び指定されたテレビジョン放送信号を前記記録媒体に記録する記録手段と、前記所定期間分のテレビジョン放送信号から前記広告信号検出装置により検出された広告信号を記録する広告信号データベースと、前記記録媒体に記録されているテレビジョン放送信号を再生する再生手段とを備え、前記再生手段は、前記再生すべきテレビジョン放送信号に、前記広告信号データベースに記録されている広告信号が含まれている場合に、該広告信号をスキップしながら前記テレビジョン放送信号を再生する。
【００１７】
この構成により、記録したテレビジョン放送信号を、それに含まれる広告信号をスキップしながら再生することができる。
【発明の効果】
【００１８】
本発明によれば、テレビジョン放送信号の種類や形式を問わずに利用可能な、汎用性のあるＣＭ検出技術を提供することができる。
【発明を実施するための最良の形態】
【００１９】
以下、本発明の実施形態について図面を参照して説明する。
【００２０】
（第一実施形態）
図１は、本発明の第一実施形態を説明するための記録再生装置の概略構成を示す図である。図１の記録再生装置としては、デジタル録画方式の光ディスクレコーダ、ハードディスクレコーダ、光ディスクとハードディスクを併用するタイプのレコーダなどを想定している。
【００２１】
図１に示すように、記録再生装置１００は、受信部１と、記録再生装置１００全体を統括制御する制御部２と、操作部３と、記録部４と、記録媒体５と、広告信号検出部６（特許請求の範囲の広告信号検出装置に該当）と、再生部７と、出力部８とを備える。
【００２２】
受信部１は、放送局から受信したテレビジョン放送信号を受信するものであり、例えばアンテナやチューナ等から構成される。本実施形態では、放送局から送られてくるテレビジョン放送信号をＭＰＥＧ形式のデジタルデータとして説明するが、これに限らず、放送局から送られてくるテレビジョン放送信号がアナログであっても良い。この場合、テレビジョン放送信号は、受信部１で受信された後に、デジタル変換されてＭＰＥＧ形式に圧縮された後、制御部２に入力されるようにすれば良い。
【００２３】
ＭＰＥＧ形式のデジタルデータは、それだけで映像を再生可能なイントラフレーム（Ｉフレーム）と、イントラフレームとの差分データである差分フレームとからなり、Ｉフレームから次のＩフレームまでを１ユニットとして、複数のユニットが含まれているデータである。広告信号は本編から独立した信号であるため、ＭＰＥＧ形式のテレビジョン放送信号では、広告信号の先頭には必ずＩフレームが配置されるという特徴がある。
【００２４】
操作部３は、記録再生装置１００の各種操作を行うためのキーやボタン等からなり、ここでの操作に応じた指示が制御部２に入力される。
【００２５】
記録部４は、制御部２の制御により、テレビジョン放送信号の記憶媒体５への記録や削除を行う。
【００２６】
記録媒体５は、例えばハードディスクやＤＶＤ等である。
【００２７】
広告信号検出部６は、制御部２の制御により、記録媒体５に記録されているテレビジョン放送信号に含まれる広告信号（以下、ＣＭとも言う）を検出する。ＣＭは、番組のスポンサが提供するものであり、同時期に流されるそのスポンサのＣＭの内容は同じである。そして、一つの番組の中に、提供企業の同じＣＭが繰り返し流れることもあり、あるいは、例えば一日（２４時間）という単位で考えると、同じＣＭが、各放送局のチャンネルで繰り返し流れている。その一方、番組本編の放送が繰り返されることはない。そこで、本実施形態では、ＣＭの反復出現性に着目し、広告信号検出部６が、テレビジョン放送信号の中に、繰り返して出現する信号があるか否かを判定し、その繰り返し現れた信号をＣＭと認識することで、ＣＭを検出する。
【００２８】
図２は、広告信号検出部６の概略構成を示すブロック図である。
図２に示すように、広告信号検出部６は、同一信号有無判定部６１と、広告信号認識部６２と、ＲＡＭ等のメモリ６３とを備える。
【００２９】
同一信号有無判定部６１は、記録媒体５に記録されているテレビジョン放送信号に含まれるＩフレーム同士を比較し、それらＩフレームの中に同一のＩフレームが存在するか否かを判定する。例えば、ＩフレームがＡ，Ｂ，Ｃ，Ｄの４つあった場合、同一信号有無判定部６１は、ＡとＢ，Ｃ，Ｄそれぞれとを比較し、ＢとＣ，Ｄそれぞれとを比較し、ＣとＤを比較するといったことを行い、例えば、ＡとＤが同一であった場合には、その旨を広告信号認識部６２に通知する。
【００３０】
Ｉフレーム同士の比較手法としては、Ｉフレームの属性同士の比較や、Ｉフレーム同士の信号の直接的な比較がある。ここで、属性とは、例えば、映像の輝度が大きく変換する回数やそのタイミング情報等である。
【００３１】
広告信号認識部６２は、同一のＩフレームがあった場合、それらＩフレームから始まる所定期間の信号が広告信号であると認識する。ＣＭは、１５秒の倍数で放送されるものである。このため、同一のＩフレームがあった場合には、そのＩフレームの開始から１５ｎ（ｎは正の整数）秒間の信号が広告信号であると認識することができる。一般に、ＣＭは１５秒のものが多いため、本実施形態では、同一のＩフレームの開始から１５秒間の信号が広告信号であると認識することにする。
【００３２】
尚、本実施形態では、Ｉフレーム同士を比較して、同一のＩフレームがあった場合に、そのＩフレームの開始から１５秒間の信号を広告信号と認識しているが、テレビジョン放送信号の全Ｉフレームと全差分フレームを合わせた全ての信号同士の比較を行い、同一の信号があった場合に、それらを広告信号として認識しても良い。Ｉフレーム同士のみの比較を行う場合には、演算量を減らすことができるというメリットがある。
【００３３】
又、本実施形態では、画像データ同士の比較によって広告信号を検出しているが、音声データ同士の比較によって広告信号を検出しても良い。この場合は、音声データ同士を、音声データの音声レベルが閾値を上回る回数やそのタイミング等で比較したり、直接比較したりすれば良い。
【００３４】
広告信号認識部６２は、広告信号を認識すると、広告信号の検出対象となっているテレビジョン放送信号が記録されている記録媒体５上の領域での広告信号の開始アドレス及び終了アドレスをメモリ６３に記憶する。メモリ６３に記憶された情報は、制御部２によって読み出し可能となっている。
【００３５】
再生部７は、制御部２の制御により、記録媒体５に記録されているテレビジョン放送信号の再生を行うものであり、再生用のデータを生成して出力部８に出力する。
【００３６】
出力部８は、再生部７からの再生データを出力するディスプレイやスピーカ等で構成される。
【００３７】
記録再生装置１００は、記録媒体５にユーザから指定されたテレビジョン放送信号を記録する記録モードと、記録媒体５に記録されているユーザからして指定されたテレビジョン放送信号を再生する再生モードと、記録媒体５に記録したテレビジョン放送信号から広告信号を削除するＣＭ削除モードが設定可能となっている。以下、各モードにおける動作を説明する。
【００３８】
操作部３が操作されて記録モードに設定されると、制御部２は、受信部１で受信したユーザにより指定されたテレビジョン放送信号を記録部４に送り、記録媒体５に記録するよう指示を出す。記録部４は、この指示にしたがってテレビジョン放送信号を記録媒体５に記録する。一方、操作部３が操作されて再生モードに設定されると、制御部２は、記録媒体５に記録されているテレビジョン放送信号のうちユーザにより指定されたテレビジョン放送信号を再生するよう、再生部７に指示を出す。再生部７は、この指示にしたがって、ユーザにより指定されたテレビジョン放送信号を記録媒体５から読み出し、再生データを生成して出力部８に出力する。出力部８ではディスプレイやスピーカ等によって映像や音声等が出力される。
【００３９】
次に、ＣＭ削除モード時の動作を説明する。
図３は、本発明の第一実施形態を説明するための記録再生装置１００のＣＭ削除モード時の動作フローを示す図である。
操作部３が操作されてＣＭ削除モードに設定されると（Ｓ３１）、制御部２は、広告信号検出部６に対し、ユーザにより指定されたテレビジョン放送信号に含まれる広告信号を検出する指示を出す。広告信号検出部６は、この指示にしたがい、記録媒体５に記録されているユーザにより指定されたテレビジョン放送信号に含まれるＩフレームを読み出し（Ｓ３２）、Ｉフレーム同士を比較して、同一のＩフレームの有無を判定する（Ｓ３３）。同一のＩフレームが存在した場合（Ｓ３３：ＹＥＳ）、広告信号検出部６は、同一のＩフレームの開始から１５秒間の信号を広告信号と認識して広告信号を検出し（Ｓ３４）、広告信号の開始アドレス及び終了アドレスを検出結果としてメモリ６３に記憶する。
【００４０】
制御部２は、メモリ６３に記憶された開始アドレス及び終了アドレスを読み出し、記録部４に入力すると共に、ユーザにより指定されたテレビジョン放送信号に含まれる広告信号を削除するよう指示を出す。記録部４は、この指示にしたがい、記録媒体５に記録されているユーザにより指定されたテレビジョン放送信号のうち、制御部２から入力された開始アドレスから終了アドレスまでの信号を削除する（Ｓ３５）。
【００４１】
このように、本実施形態によれば、テレビジョン放送信号の中に同一の信号が存在するか否かを判定し、存在していた場合に、それら同一の信号を広告信号と認識して広告信号の検出を行っている。このため、従来のように、テレビジョン放送信号に特別な情報を付加したり、ユーザが面倒な操作を行ったりする必要がなく、テレビジョン放送信号の種類や形式を問わずに利用可能な、汎用性のあるＣＭ検出技術を実現することができる。
【００４２】
尚、本実施形態では、記録媒体５に一旦記録したテレビジョン放送信号から、そこに含まれる広告信号を削除する動作について説明したが、広告信号を削除せず、テレビジョン放送信号を再生する際に、広告信号をスキップして再生することも可能である。この場合は、制御部２が、広告信号検出部６に対して、スキップ再生すべきテレビジョン放送信号に含まれる広告信号の検出を指示し、検出された広告信号の開始アドレス及び終了アドレスを取得し、それを再生部７に入力して、スキップ再生すべきテレビジョン放送信号のスキップ再生の指示を行う。そして、再生部７では、スキップ再生すべきテレビジョン放送信号のうち、制御部２から入力された開始アドレスから終了アドレスの間の信号については再生データを生成しないようにすれば良い。
【００４３】
（第二実施形態）
本実施形態を説明するための記録再生装置は、第一実施形態で説明した記録再生装置に、広告信号を記録しておく広告信号データベース（ＤＢ）を設けた点が異なる。
【００４４】
図４は、本発明の第二実施形態を説明するための記録再生装置の概略構成を示す図である。図４において図１と同様の構成には同一符号を付してある。
図４に示すように、記録再生装置２００は、受信部１と、記録再生装置２００全体を統括制御する制御部２と、操作部３と、記録部４と、記録媒体５と、広告信号検出部６と、再生部７と、出力部８と、広告信号ＤＢ９とを備える。
【００４５】
広告信号検出部６は、記録媒体５に記録されている所定期間分（例えば１日分）のテレビジョン放送信号から、そこに含まれる広告信号を第一実施形態と同様の方法で検出し、検出した広告信号を広告信号ＤＢ９に記録する。広告信号検出部６は、図２に示した構成において、メモリ６４を省略した構成である。
【００４６】
記録再生装置２００は、記録媒体５にユーザから指定されたテレビジョン放送信号を記録する記録モードと、記録媒体５に記録されているユーザからして指定されたテレビジョン放送信号を再生する再生モードと、広告信号のデータベースを作成する広告信号ＤＢ作成モードと、記録媒体５に記録したテレビジョン放送信号から広告信号を削除するＣＭ削除モードが設定可能となっている。以下、各モードにおける動作を説明する。記録モード時と再生モード時の動作は第一実施形態と同様である。
【００４７】
図５は、本発明の第二実施形態を説明するための記録再生装置の広告信号ＤＢ作成モード時の動作フローを示す図である。
操作部３が操作されて広告信号ＤＢ作成モードに設定されると（Ｓ５１）、制御部２は、記録部４を制御し、所定期間（例えば１日分）のテレビジョン放送信号を記録媒体５に記録させる（Ｓ５２）。記録が終了すると、制御部２は、記録された１日分のテレビジョン放送信号から広告信号を検出するよう広告信号検出部６に指示を出す。広告信号検出部６は、この指示にしたがって、記録された１日分のテレビジョン放送信号の全Ｉフレームを読み出し（Ｓ５３）、Ｉフレーム同士を比較して、同一のＩフレームの有無を判定する（Ｓ５４）。同一のＩフレームが存在した場合（Ｓ５４：ＹＥＳ）、広告信号検出部６は、同一のＩフレームの開始から１５秒間の信号を広告信号と認識して広告信号を検出し（Ｓ５５）、検出した広告信号を広告信号ＤＢ９に記録する（Ｓ５６）。
【００４８】
次に、操作部３が操作されてＣＭ削除モードに設定されると、制御部２は、記録部４に対し、ユーザにより指定されたテレビジョン放送信号から、そこに含まれる広告信号を削除する指示を出す。この指示にしたがって記録部４は、広告信号ＤＢ９を参照し、ユーザから指定されたテレビジョン放送信号に、広告信号データベースに記録されている広告信号が含まれていた場合、記録媒体５に記録されているユーザにより指定されたテレビジョン放送信号から、広告信号ＤＢ９に記録されている広告信号と同じ信号を削除する。一方、ユーザから指定されたテレビジョン放送信号に、広告信号データベースに記録されている広告信号が含まれていない場合は、広告信号の削除を行わない。
【００４９】
このように、本実施形態によれば、１日分のテレビジョン放送信号に含まれる広告信号をデータベース化しておき、これを利用して、既に記録したテレビジョン放送信号から広告信号を削除することができる。第一実施形態では、例えば２時間分のテレビジョン放送信号を記録した後、その中から広告信号を検出して削除しているため、２時間の間に１回しか放送されなかったＣＭがあった場合には、そのＣＭを削除することはできない。ところが、本実施形態では、１日分のテレビジョン放送信号から広告信号を検出しているため、より多くのＣＭを検出して記録しておくことができ、ＣＭ削除の性能を向上させることができる。
【００５０】
尚、本実施形態では、記録媒体５に一旦記録したテレビジョン放送信号から、そこに含まれる広告信号を削除する動作について説明したが、広告信号を削除せず、テレビジョン放送信号を再生する際に、広告信号をスキップして再生することも可能である。この場合は、制御部２が、再生部７に対してスキップ再生の指示を出す。そして、再生部７は、広告信号ＤＢ９を参照し、ユーザから指定されたテレビジョン放送信号に広告信号データベースに記録されている広告信号が含まれていた場合、そのテレビジョン放送信号のうち広告信号ＤＢ９に記録されている広告信号と同じ信号については再生データを生成しないようにする。一方、ユーザから指定されたテレビジョン放送信号に、広告信号データベースに記録されている広告信号が含まれていない場合は、広告信号のスキップを行わない。
【００５１】
又、記録部４がユーザから指定されたテレビジョン放送信号を記録する際に、広告信号だけを記録しないようにすることも可能である。この場合、ユーザから指定されたテレビジョン放送信号に、広告信号ＤＢ９に記録されている広告信号が含まれている場合には、該広告信号を削除しながらテレビジョン放送信号を記録媒体５に記録し、ユーザから指定されたテレビジョン放送信号に、広告信号ＤＢ９に記録されている広告信号が含まれていない場合には、テレビジョン放送信号を全て記録媒体５に記録する。
【図面の簡単な説明】
【００５２】
【図１】本発明の第一実施形態を説明するための記録再生装置の概略構成を示す図
【図２】本発明の第一実施形態を説明するための記録再生装置の広告信号検出部の概略構成を示す図
【図３】本発明の第一実施形態を説明するための記録再生装置のＣＭ削除モード時の動作フローを示す図
【図４】本発明の第二実施形態を説明するための記録再生装置の概略構成を示す図
【図５】本発明の第二実施形態を説明するための記録再生装置の広告信号ＤＢ作成モード時の動作フローを示す図
【符号の説明】
【００５３】
１００  記録再生装置
１  受信部
２  制御部
３  操作部
４  記録部
５  記録媒体
６  広告信号検出部
７  再生部
８  出力部
【図１】
2006115405.tif 000003
【図２】
2006115405.tif 000004
【図３】
2006115405.tif 000005
【図４】
2006115405.tif 000006
【図５】
2006115405.tif 000007